(57)【要約】      （修正有）【課題】耳掛けゴム紐の弾力を簡便に調節出来て耳掛けゴム紐が耳にソフトに接触して痛くないようにし、また市販の顔マスクに後付けで装着できる顔マスクの耳掛け紐調節具を提供する。【解決手段】顔マスクの耳掛け紐調節具１は、断面が円形の棒１１の長さ方向に、耳掛けゴム紐を押し込んで側面に圧接する溝１４を設けるか又は断面が楕円形の棒１２の断面の長軸方向で棒の長さ方向に、耳掛けゴム紐を押し込んで側面に圧接する溝１４を設ける。又、断面がＵ字型の棒１３の溝１４の長さ方向に、耳掛けゴム紐を押し込んで側面に圧接する溝１４として用いる。【選択図】図１
0003229157.tif 000002
【実用新案登録請求の範囲】
【請求項１】
断面が円形の棒の長さ方向の一方側の端面から他方側の端面にわたって、顔マスクの耳掛けゴム紐を伸ばしながら押し込んで側面に圧接する溝を設けるか又は断面が楕円形の棒の断面の長軸方向又はそれに平行な方向で棒の長さ方向の一方側の端面から他方側の端面にわたって、顔マスクの耳掛けゴム紐を伸ばしながら押し込んで側面に圧接する溝を設けたことを特徴とする顔マスクの耳掛け紐調節具
【請求項２】
断面がＵ字型の棒の溝の長さ方向を耳掛けゴム紐を伸ばしながら押し込んで側面に圧接する溝として用いることを特徴とする顔マスクの耳掛け紐調節具
【請求項３】
耳掛けゴム紐を伸ばしながら押し込んで側面に圧接する溝の幅を前記棒の端部において棒の端面へ向かって漸次縮小するようにした請求項１乃至２に記載した顔マスクの耳掛け紐調節具
【請求項４】
前記耳掛けゴム紐を伸ばしながら押し込んで側面に圧接する溝の幅を前記棒の長さ方向の複数の部分で縮小した請求項１乃至２に記載した顔マスクの耳掛け紐調節具
【請求項５】
断面がＵ字型の棒の溝の両側の部材のうち一方側の部材を溝の外側を覆うように延長して他方側の部材の外側下方へ渦巻き状にした請求項２に記載した顔マスクの耳掛け紐調節具
【考案の詳細な説明】
【技術分野】
【０００１】
本考案は顔マスクの耳掛けゴム紐の調節具に関する。
【背景技術】
【０００２】
顔マスクを耳掛け紐で耳に掛けて使用する場合、マスク着用者の顔の大きさ、耳の大きさ、顔と耳の相対的位置関係は人によって異なるので、顔マスクが顔に密着しなかったり、逆に耳に強く引っ掛かって耳の痛みや窮屈さを感じることがある。
そのために耳掛け紐に弾性のあるゴムを使用することがあるが、前記のように着用者の顔の大きさ等により耳に強く当たって耳に痛みを感じたり、窮屈さを感じることがある
そこで従来、各種の解決手段が提案されている。
【０００３】
特許文献１の発明は耳掛け弾性紐の長さをストッパーで調節するものである。
ストッパーが耳又は顔に不自然に当たり、ソフトな接触感がなく、耳に痛みを感じることもある。更にストッパーの外側は顔マスクを耳に掛けるために必要な機能以外の余分な部分となり、弾性紐全体が簡潔でなく複雑になる。
【０００４】
特許文献２の発明は、紐の途中に金属ワイヤー等を芯にした筒を設け、それを曲げることにより紐の長さを調節するものである。
これは既存の又は市販のマスク即ち画一的に低コストで量産されたマスクに、着用者自身が調節部を取り付けて使用するものではなく、特別に製作されるマスクでありコスト高のマスクになる。
又、屈曲部分も含めて紐の長さが長くなり、紐部が簡潔でなく複雑になる。更に、屈曲の程度を調節することによる紐の耳への当たりの微妙な調節は難しく、紐が緩んでしまうこともある。
【０００５】
特許文献３の考案は上側の耳掛け紐と下側の耳掛け紐を片側に鋭角の切り込みを有する円筒型パイプへ押し込み、押し出した紐の輪の長さを調節することにより耳に掛ける紐の長さを調節するものである。
押し出した紐の部分という顔マスクを耳に掛けるために必要な機能以外の余分な部分が生じて耳掛け紐全体が複雑になるとともに円筒形パイプの部分が耳に当たるためにソフトな感触が得られず、耳が痛いこともある。
【０００６】
特許文献４の発明はマスク本体に固定部材を設けてそれに環部を取り付ける。耳掛け紐をその環部へ通し、紐の長さの調節部を設ける。この紐の長さの調節部の長さを調節することにより紐の耳掛け部の長さを調節する。
この発明では、紐の長さの調節部というマスクを耳に掛けるために必要な機能以外の余分な紐の部分が生じ、耳掛け紐が簡潔でなく複雑になる。
【０００７】
又、既存のマスクや市販のマスク即ち画一的に低コストで量産されるマスクに
後付けして耳掛け紐の長さを調節ができるものではなく、マスク本体に環部を設けた特殊なマスクを製作しなければならずマスクが高コストになる。
【０００８】
特許文献５の発明は両端に切り込みを入れたパイプにゴム紐を通してゴム紐が両端の切り込みに引っ掛かるようにして、ゴム紐を調整するものである。
これはゴム紐とパイプとの接触面積がＬ字型部分のごく一部のパイプの肉厚だけであり、ごく小さいのでＬ字型溝からゴム紐が外れ易い。
ゴム紐を外れにくいようにＬ字型部分に強く嵌まるようにすればゴム紐が痛む。
【０００９】
又、既存のマスクや市販のマスク即ち、画一化されて低コストで量産されるマスクに後付けで調整器具であるパイプを装着するものではない。
従って当該調整器具であるパイプを装着したマスクを特別に製作する必要があり、マスクがコスト高になる。
【００１０】
又、調整器具であるパイプが１個では調節が不十分の場合に後付けで複数個装着することができるものではない。
更に、ゴム紐がパイプを一方側から他方側まで貫通するのではなく、パイプの一方側の外側から屈曲して&#8556;字型溝を通してパイプ内へ入り、ハイプの他方側から屈曲して&#8556;字型溝を通してパイプの外へ出てくるのでゴム紐が傷みやすいとともに、ゴム紐は直線状にはならず、複雑になり自然な調整器具ではない。
【先行技術文献】
【特許文献】
【００１１】
【特許文献１】特開２０００−２８８１０７
【特許文献２】特開２０１４−２１０１５３
【特許文献３】実用新案登録第３１７０６８３号
【特許文献４】特開２０１８−１６５４２４
【特許文献５】特開２００７−１６００４８
【考案の概要】
【考案が解決しようとする課題】
【００１２】
顔マスクの耳掛け紐の優れた調節具が備えるべき条件として下記のものが挙げられる。
耳掛け紐の耳に当たる弾力を適当にかつ簡便に調節出来て、着用中に顔マスクのずれが起こらない。
耳掛け紐が耳にソフトに接触し耳が痛くない。
調節具でいったん設定した耳掛け紐の調節が、顔マスクの使用中にずれてしまうことがない。
調節具が顔にソフトに接触するので痛くなく、又嫌な接触感を起こさない。
調節具を取り付けるために余分な紐の部分が生じて耳掛け紐全体が長くなることはなく、又、耳掛け紐全体が煩雑にならない。
【００１３】
又、耳掛け紐が調節具へ屈曲することなく自然に入り、屈曲することなく調節具から自然に出てくる。
又、既存又は市販のマスク即ち画一化されて低コストで量産されるマスクに後付けで調節具を取り付けることができる。
本考案は前記の条件を満たす顔マスクの耳掛け紐の調節具を提供しようとするものである。
【課題を解決するための手段】
【００１４】
断面が円形又はほぼ円形の棒の長さ方向の一方側の端面から他方側の端面にわたって、耳掛けゴム紐を伸ばしながら押し込んで側面に圧接する溝を設けるか又は断面が楕円形又はほぼ楕円形の棒の断面のほぼ長軸方向又はそれに平行な方向で棒の長さ方向の一方側の端面から他方側の端面にわたって、耳掛けゴム紐を伸ばしながら押し込んで側面に圧接する溝を設けた。
【００１５】
なお、請求項１に記載の円形にはほぼ円形も含み、楕円形にはほぼ楕円形も含み、断面の長軸方向にはほぼ長軸方向又はそれに平行な方向も含む。
【００１６】
断面がＵ字型又はほぼＵ字型の棒の溝の長さ方向を耳掛けゴム紐を伸ばしながら押し込んで圧接する溝として用いた。
なお、請求項２に記載のＵ字型にはほぼＵ字型をも含む。
【００１７】
前記棒の長さ方向に設けた耳掛けゴム紐を伸ばしながら押し込んで圧接する溝を棒の端部において棒の端面へ向かって漸次縮小するようにしてもよい。
【００１８】
前記耳掛けゴム紐を伸ばしながら押し込んで圧接する溝の幅を棒の長さ方向の複数の部分で縮小してもよい。
【００１９】
前記断面がＵ字型又はほぼＵ字型の棒の溝の長さ方向を耳掛けゴム紐を伸ばしながら押し込んで圧接する溝として用いることにおいて溝の両側の部材のうち一方側の部材を溝の外側を覆うように延長して他方側の部材の外側下方へ渦巻き状にしてもよい。
なお、請求項５に記載のＵ字型にはほぼＵ字型も含む。
【考案の効果】
【００２０】
断面が円形の棒の長さ方向に、耳掛けゴム紐を伸ばしながら押し込んで圧接する溝を設けるか又は断面が楕円形の棒の断面のほぼ長軸方向又はそれに平行
な方向で溝の長さ方向に、耳賭けゴム紐を伸ばしながら押し込んで圧接する溝を設けたので、耳掛けゴム紐を伸ばす程度を調整することにより耳掛けゴム紐の弾力を適当にかつ簡便に調節できて、顔マスクを顔に適度に密着させることができる。
又、耳掛けゴム紐を耳に適当な弾力で掛けることができる。
【００２１】
又、溝は棒の一方側の端面から他方側の端面までにわたるので、耳掛けゴム紐と溝との圧接面積は大きく、いったん設定した耳掛けゴム紐の弾力の調整がずれてしまうことはない。
又、圧接面積が大きいため比較的小さい単位面積当たりの圧力で足り、耳掛けゴム紐が傷まない。
【００２２】
又、調節具が円形断面の棒又は楕円形断面の棒から成るので調節具が顔にソフトに接触し、嫌な接触感を起こさない。楕円形断面の棒については断面の長軸方
向に溝がつくられるので、緩やかな曲面の長軸側の外周面が顔にソフトに接触する。
【００２３】
又、耳掛けゴム紐は棒の一方側の端面から屈曲することなく棒に入り、他方側の端面から屈曲することなく出てくるので調節具を取り付けるために耳掛けゴム紐全体が長くなることはなく、煩雑にならない。
更に、既存又は市販のマスクに後付けで調節具を取り付けることができる。すなわち、画一的に低コストで量産される顔マスクにマスク着用者が後付けで調節具を取り付けられる。
【００２４】
断面がＵ字型の棒の溝の長さ方向を耳掛けゴム紐を伸ばしながら押し込んで圧接する溝として用いるようにしたので、耳掛けゴム紐を伸ばす程度を調整することにより耳掛け紐の耳に当たる弾力を適当にかつ簡便に調節出来て、着用中に顔マスクのずれが起こらない。又、耳掛けゴム紐が耳にソフトに接触して耳が痛くない。
【００２５】
又、棒の一方の端面から他方の端面までにわたって耳掛けゴム紐が溝の側面に圧接されるので、圧接面積は十分に大きくなり、いったん調節具で耳掛けゴム紐が耳に当たる弾力を調整すれば、顔マスクの着用中にずれることはない。
又、圧接面積が大きいので、比較的小さい単位面積当たりの圧力で足り、耳掛けゴム紐が傷まない。
【００２６】
又、調節具がＵ字形断面の棒から成るので、調節具が顔にソフトに接触し、嫌な接触感を起こさない。また、耳掛けゴム紐は棒の一方側の端面から屈曲することなく棒へ入り、他方側の端面から屈曲することなく出てくるので調節具を取り付けるために耳掛けゴム紐全体が長くなることはなく、煩雑にならない。
更に、既存又は市販のマスクに後付けで調節具を取り付けることができる。すなわち、画一的に低コストで量産される顔マスクにマスク着用者が後付けで調節具を取り付けられる。
【００２７】
耳掛けゴム紐を伸ばしながら押し込んで圧接する溝の幅を棒の端部において棒の端面へ向かって漸次縮小することにより、前記のように耳掛けゴム紐が溝の側面の十分に広い面積にわたって圧接されることに加えて、耳掛けゴム紐は棒の端部において溝により強く圧接されて溝からより一層外れにくくなる。
又、そのために漸次縮小部分以外の部分の溝を少し大きめにして、耳掛けゴム紐を押し込みやすくすることができる。
【００２８】
耳掛けゴム紐を伸ばしながら押し込んで圧接する溝を棒の長さ方向の複数部分において縮小することにより、前記のように耳掛けゴム紐が溝の側面の十分に広い面積にわたって圧接されることに加えて、耳掛けゴム紐は前記縮小部分においてより強く圧接され、より一層溝から抜けにくくなる。
又、そのために溝のうち縮小部分以外の部分の溝の幅を少し大きめにして、耳掛けゴム紐を押し込みやすくすることができる。
【００２９】
断面がＵ字型の溝の両側の部材のうち一方側の部材を溝の外側を少し離れて
覆うように延長して他方の部材の外側下方へ渦巻き状にすることにより、耳掛けゴム紐が溝の長さ方向の一方の端から他方の端までの十分な面積で溝の側面に圧接されるので外れにくいことに加えて、耳掛けゴム紐は溝の上側を少し離れて覆われることにより、溝からより一層外れにくくなる。
【００３０】
本考案に係る耳掛けゴム紐調節具は既存のマスクに後付けできるので、必要に応じて１個または複数個の使用を選択できる。
【図面の簡単な説明】
【００３１】
【図１】本考案に係る顔面マスク耳掛けゴム紐調節具の複数の実施例を含む図である。
【図２】本考案に係る顔面マスク耳掛けゴム紐調節具の別の複数の実施例を含む図である。
【図３】本考案に係る顔面マスク耳掛けゴム紐調節具の更に別の複数の実施例を含む図である。
【図４】本考案に係る顔面マスク耳掛けゴム紐調節具の使用態様を表す実施例の図である。
【考案を実施するための形態】
【００３２】
以下本考案について詳細に説明する。
なお、本考案においては以下の記述に限定されるものではなく、本考案の要旨を逸脱しない範囲内において適宜変更可能である。
【実施例】
【００３３】
以下、本考案の実施例を図面に従って詳述する。
図１の（Ａ）は断面が直径５ＭＭ（ミリメートル、以下同じ）で長さが３０ＭＭの円形断面棒１１の断面の直径方向で円形断面棒１１の長さ方向に幅が０．８ＭＭのゴム紐用溝１４を設けた耳掛けゴム紐調節具１を表した斜視図である。本実施例においては耳掛けゴム紐調節具１〜１０は樹脂製である。なお、ゴム紐用溝１４は底面を有する。このことは他に実施例においても同様である。
【００３４】
（Ｂ−１）と（Ｂ−２）は別の実施例である。
（Ｂ−１）は断面が長軸５ＭＭで長さ３０ＭＭの楕円形断面棒１２の断面の長軸方向で楕円形断面棒１２の長さ方向に幅０．８ＭＭのゴム紐用溝１４を設けた耳掛けゴム紐調節具２の平面図である。耳掛けゴム紐１８が伸ばされて前記ゴム紐用溝１４の底面まで押し込まれてゴム紐用溝１４の側面に圧接されている。
（Ｂ−２）は（Ｂ‐１）に表した前記耳掛けゴム紐調節具２のＸ−Ｘ断面図である。耳掛けゴム紐１８がゴム紐用溝１４の底面までに押し込まれていてゴム紐用溝１４の側面に圧接されている。
【００３５】
耳掛けゴム紐調節具１と耳掛けゴム紐調節具２の主な違いは断面が円形であるか楕円形であるかである。
【００３６】
（Ｃ−１）と（Ｃ−２）は別の実施例である。
（Ｃ−１）は幅４ＭＭで長さ３０ＭＭのＵ字型断面棒１３の幅０．８ＭＭの溝を耳掛けゴム紐１８を押し込んで側面に圧接するゴム紐用溝１４として利用する耳掛けゴム紐調節具３である。
（Ｃ−２）は（Ｃ‐１）に表した耳掛けゴム紐調節具３のＸ’−  Ｘ’断面図でＵ字型である。
【００３７】
耳掛けゴム紐調節具１と耳掛けゴム紐調節具３の主な違いは断面が円形であるかＵ字型であるかである。
【００３８】
（Ｄ−１）は別の実施例である耳掛けゴム紐調節具１０の断面図である。
（Ｃ−１）、（Ｃ‐２）の実施例のＵ字型断面棒の耳掛けゴム紐調節具３おいて、耳掛けゴム紐用溝１４のＵ字型を構成する両側の部材のうちＵ字型の一方側の部材１９をゴム紐用溝１４の外側を覆うように延長して他方の部材の外側下方へ渦巻き状に伸ばした。
耳掛けゴム紐調節具１０の長さは他の実施例と同様で３０ＭＭである。又、突起１７を設けて耳掛けゴム紐１８が更に外れにくいようにした。
【００３９】
この場合、図２の（Ｃ−１）、（Ｃ−２）に示すようにゴム紐用溝１４の長さ方向の端部に溝幅漸次縮小部分１５を設けてもよい。
又、図３の（Ｃ−１）、（Ｃ−２）に示すようにゴム紐用溝１４の長さ方向の複数個所に溝幅縮小部分１６を設けてもよい。
なお（Ｄ−１）は耳掛けゴム紐調節具１０の断面図であり、Ｕ字型相当部分の幅
は４ＭＭ、長さは３０ＭＭであるが図の表現を他の実施例に比して相対的に拡大したものである。
【００４０】
図２はゴム紐用溝１４の端部を端面へ向かって漸次縮小するようにした別の実施例である耳掛け紐調節具である。
（Ａ）は断面が直径５ＭＭで長さ３０ＭＭの円形断面棒１１の直径方向で棒の長さ方向に幅０．８ＭＭのゴム紐用溝１４を設けるとともに溝の端部にゴム紐用溝１４の幅を端面へ向かって漸次縮小した溝幅漸次縮小部分１５を設けた耳掛けゴム紐調節具４の斜視図である。
【００４１】
（Ｂ−１）と（Ｂ−２）は別の実施例である。
（Ｂ−１）は）は断面が長軸５ＭＭで長さが３０ＭＭの楕円形断面棒１２の断面の長軸方向で棒の長さ方向に幅０．８ＭＭのゴム紐用溝１４を設けるとともに溝の端部１５で端面へ向かって溝の幅を漸次縮小した耳掛けゴム紐調節具５の平面図である。
耳掛けゴム紐１８が伸ばされながらゴム紐用溝１４および溝幅漸次縮小部分１５へ溝の底面まで押し込まれて溝の側面に圧接されている。
（Ｂ−２）は（Ｂ‐１）に表した前記耳掛けゴム紐調節具５のＸ−Ｘ断面図であり、耳掛けゴム紐１８が溝に押し込まれて圧接されている状態を表している。
【００４２】
耳掛けゴム紐調節具４と耳掛けゴム紐調節具５の主な違いは断面が円形であるか楕円形であるかである。
【００４３】
（Ｃ−１）と（Ｃ−２）は別の実施例である。
（Ｃ−１）は幅４ＭＭで長さ３０ＭＭのＵ字型断面棒１３長さ方向の幅０．８ＭＭの溝を耳掛けゴム紐１８を押し込んで圧接するゴム紐用溝１４として用いると共にゴム紐用溝１４の端部に端面に向かって溝幅を漸次縮小した溝幅漸次縮小部分１５を設けた耳掛けゴム紐調節具６の平面図である。
（Ｃ−２）は（Ｃ−１）に示したＵ字型断面棒より成る耳掛けゴム紐調節具６のＸ’−  Ｘ’断面図である。
【００４４】
耳掛けゴム紐調節具４と耳掛けゴム紐調節具６の主な違いは断面が円形であるかＵ字型であるかである。
【００４５】
図３の（Ａ）は断面が直径５ＭＭで長さが３０ＭＭの円形断面棒１１の直径方向で棒の長さ方向に幅０．８ＭＭのゴム紐用溝１４を設けるとともに、ゴム紐用溝１４の長さ方向の複数個所に溝幅縮小部分１６を設けた耳掛けゴム紐調節具７を表した斜視図である。
【００４６】
（Ｂ−１）と（Ｂ−２）は別の実施例である。
（Ｂ−１）は断面が長軸５ＭＭで長さが３０ＭＭの楕円形断面棒１２断面の長軸方向で棒の長さ方向に幅０．８ＭＭのゴム紐用溝１４を設けるとともに前記溝の棒の長さ方向の複数個所に溝幅縮小部分１６を設けた耳掛けゴム紐調節具８の平面図である。
耳掛けゴム紐１８が伸ばされながらゴム紐用溝１４および溝幅縮小部分１６へ押し込まれて圧接される。
（Ｂ‐２）は前記耳掛けゴム紐調節具８のＸ−Ｘ断面図であり耳掛けゴム紐１８が表されている。
【００４７】
耳掛けゴム紐調節具７と耳掛けゴム紐調節具８の主な違いは断面が円形であるか楕円形であるかである。
【００４８】
（Ｃ−１）と（Ｃ−２）は別の実施例である。
（Ｃ−１）は幅４ＭＭで長さ３０ＭＭのＵ字型断面棒の長さ方向に幅０．８ＭＭの溝１４を設けるとともに、ゴム紐用溝１４の複数個所に溝幅縮小部分１５を設けた耳掛けゴム紐調節具９の平面図である。
（Ｃ−２）は（Ｃ‐１）に示した耳掛けゴム紐調節具９のＸ’−  Ｘ’断面図である。
【００４９】
耳掛けゴム紐調節具７と耳掛けゴム紐調節具９の主な違いは断面が円形であるかＵ字型であるかである。
【００５０】
図４は顔面マスクとの関連での耳掛けゴム紐調節具の下側部分使用例２２，上側部分使用例２３を表す図である。
顔マスク２０が耳掛けゴム紐１８により耳に掛けられる際に耳掛けゴム紐調節具１〜１０のいずれかが装着される。顔２１に対して耳掛けゴム紐調節具１〜１０の下側部分の使用例２２または上側部分の使用例２３のうち一方側の使用で耳掛けゴム紐１８を調節出来ればそれでよいが、一方側の使用だけでは調節が不十分な場合には上側部分、下側部分の両方に使用してもよい。
又、必要に応じて耳掛けゴム紐調節具１〜１０の使用個数を更に増やすことができる。
【産業上の利用可能性】
【００５１】
本考案に係る顔マスクの耳掛け紐調節具により耳掛けゴム紐の弾力を簡便に調節出来て耳掛けゴム紐が耳にソフトに接触し、痛くない。又市販の顔マスクに後付けで調節具を取り付けることができる。すなわち、画一的に低コストで量産される顔マスクに後付けで調節具を装着できる。
従ってマスクの利用価値が飛躍的に向上し実用性が極めて高く産業上の利用性が高い。
【符号の説明】
【００５２】
１〜１０    耳掛けゴム紐調節具
１１    円形断面棒
１２    楕円形断面棒
１３    Ｕ字形断面棒
１４    ゴム紐用溝
１５    溝幅漸次縮小部分
１６    溝幅縮小部分
１７    突起
１８    耳掛けゴム紐
１９    Ｕ字型の一方側の部材
２０    顔マスク
２１    顔
２２    耳掛けゴム紐調節具１〜１０の下側部分使用例
２３    耳掛けゴム紐調節具１〜１０の上側部分使用例
（Ａ）    図面
（Ｂ−１）、（Ｂ−２）  図面
（Ｃ−１）、（Ｃ−２）  図面
（Ｄ−１）    図面
【図１】
0003229157.tif 000003
【図２】
0003229157.tif 000004
【図３】
0003229157.tif 000005
【図４】
0003229157.tif 000006